(57)【要約】      （修正有）【課題】不正な使用を防止できる電子機器、及び電子機器の起動方法を提供する。【解決手段】電子機器は他の機器と接続可能であり、他の機器に接続されているか検出し、検出された他の機器の識別情報を検出し、前記識別情報を特定の他の機器に関する第１情報と比較し、特定の他の機器の第１情報と一致する場合、起動可能とされ、一致しない場合、前記電子機器は起動不可能とされる。【選択図】図９
2019133471.tif 000002
【特許請求の範囲】
【請求項１】
他の機器と接続可能な電子機器であって、
特定の他の機器と接続されている場合、起動可能とされ、
前記特定の他の機器と接続されていない場合、起動不可能とされる電子機器。
【請求項２】
前記他の機器に接続されているか否かを検出し、接続が検出された前記他の機器の識別情報を検出する検出手段と、
前記検出手段により検出された前記識別情報を前記特定の他の機器に関する第１情報と比較し、
前記識別情報と前記第１情報が一致する場合、前記電子機器の起動を可能とし、
前記識別情報と前記第１情報が一致しない場合、前記電子機器の起動を不可能とする起動制御手段と、
を具備する請求項１記載の電子機器。
【請求項３】
前記他の機器に接続されているか否かを検出し、接続が検出された前記他の機器の識別情報を検出する検出手段と、
前記検出手段により検出された前記識別情報を複数の前記特定の他の機器に関する複数の第１情報と比較し、
前記複数の第１情報の全てが前記識別情報に含まれる場合、前記電子機器の起動を可能とし、
前記複数の第１情報の少なくとも１つが前記識別情報に含まれていない場合、前記電子機器の起動を不可能とする起動制御手段と、
を具備する請求項１記載の電子機器。
【請求項４】
前記起動制御手段は、前記電子機器の起動を不可能とする場合、起動不可能の通知を行う請求項２又は請求項３記載の電子機器。
【請求項５】
前記電子機器は表示部を備えず、
前記起動制御手段は、発光色又は点滅周期が可変である発光ダイオードを用いて前記起動不可能の通知を行う請求項４記載の電子機器。
【請求項６】
前記起動制御手段は、前記電子機器の起動を可能とする場合、ユーザ認証を行う請求項２又は請求項３記載の電子機器。
【請求項７】
前記電子機器はＢＩＯＳ（Basic Input Output System）とＯＳ(Operating System)を実行可能であり、
前記検出手段の処理は前記ＢＩＯＳにより実行され、
前記起動制御手段の処理は前記ＯＳにより実行され、
前記起動制御手段は、前記電子機器の起動を可能とする場合、前記ＯＳでのユーザ認証を行う請求項２又は請求項３記載の電子機器。
【請求項８】
前記電子機器はＢＩＯＳ（Basic Input Output System）とＯＳ(Operating System)を実行可能であり、
前記検出手段の処理と前記起動制御手段の処理は前記ＢＩＯＳの起動後に前記ＯＳにより実行され、
前記起動制御手段は、前記電子機器の起動を可能とする場合、前記ＯＳでのユーザ認証を行う請求項２又は請求項３記載の電子機器。
【請求項９】
他の機器と接続可能な電子機器の起動方法であって、
特定の他の機器と接続されている場合、前記電子機器の起動を可能とし、
前記特定の他の機器と接続されていない場合、前記電子機器の起動を不可能とする起動方法。
【請求項１０】
前記他の機器に接続されているか否かを検出し、接続が検出された前記他の機器の識別情報を検出する検出ステップと、
前記検出ステップにより検出された前記識別情報を前記特定の他の機器に関する第１情報と比較し、
前記識別情報と前記第１情報が一致する場合、前記電子機器の起動を可能とし、
前記識別情報と前記第１情報が一致しない場合、前記電子機器の起動を不可能とする起動制御ステップと、
を具備する請求項９記載の起動方法。
【請求項１１】
前記他の機器に接続されているか否かを検出し、接続が検出された前記他の機器の識別情報を検出する検出ステップと、
前記検出ステップにより検出された前記識別情報を複数の前記特定の他の機器に関する複数の第１情報と比較し、
前記複数の第１情報の全てが前記識別情報に含まれる場合、前記電子機器の起動を可能とし、
前記複数の第１情報の少なくとも１つが前記識別情報に含まれていない場合、前記電子機器の起動を不可能とする起動制御ステップと、
を具備する請求項９記載の起動方法。
【請求項１２】
前記起動制御ステップは、前記電子機器の起動を不可能とする場合、起動不可能の通知を行う請求項１０又は請求項１１記載の起動方法。
【請求項１３】
前記電子機器は表示部を備えず、
前記起動制御ステップは、発光色又は点滅周期が可変である発光ダイオードを用いて前記起動不可能の通知を行う請求項１２記載の起動方法。
【請求項１４】
前記起動制御ステップは、前記電子機器の起動を可能とする場合、ユーザ認証を行う請求項１０又は請求項１１記載の起動方法。
【請求項１５】
前記電子機器はＢＩＯＳ（Basic Input Output System）とＯＳ(Operating System)を実行可能であり、
前記検出ステップは前記ＢＩＯＳにより実行され、
前記起動制御ステップは前記ＯＳにより実行され、
前記起動制御ステップは、前記電子機器の起動を可能とする場合、前記ＯＳでのユーザ認証を行う請求項１０又は請求項１１記載の起動方法。
【請求項１６】
前記電子機器はＢＩＯＳ（Basic Input Output System）とＯＳ(Operating System)を実行可能であり、
前記検出ステップと前記起動制御ステップは前記ＢＩＯＳの起動後に前記ＯＳにより実行され、
前記起動制御ステップは、前記電子機器の起動を可能とする場合、前記ＯＳでのユーザ認証を行う請求項１０又は請求項１１記載の起動方法。
【発明の詳細な説明】
【技術分野】
【０００１】
本発明の実施形態は電子機器、及び電子機器の起動方法に関する。
【背景技術】
【０００２】
最近、多くのモノがインターネットでつながるＩｏＴ時代となり、オフィス、工場、その他様々な場面において、ネットワークコミュニケーションや情報共有のツールとしてエッジコンピューティングと呼ばれる技術が求められている。このエッジコンピューティングを実現するためにはデータセンター（或いはクラウド）とは別に作業者（ユーザ）がその場で使用可能な、高度の汎用性と処理能力を持つ実用的なモバイルエッジコンピューティングデバイスの開発が必要とされている。これにより、作業現場等での業務効率化や生産性向上、或いは、データの負荷分散やネットワーク環境の改善等を図ることが期待される。
【０００３】
デバイス自体の小型化のため、及びデバイスを含むシステムの拡張性を高めるために、モバイルエッジコンピューティングデバイスはハードウェアキーボード、マウス等の入力装置やディスプレイを内蔵せず、処理部のみを備える。必要に応じて外付けのハードウェアキーボード、マウス等の入力装置やディスプレイがデバイスに接続される。
【先行技術文献】
【特許文献】
【０００４】
【特許文献１】国際公開第2003/071403号明細書
【特許文献２】米国特許出願公開第2005/010784号明細書
【特許文献３】特開2009-187154号公報
【発明の概要】
【発明が解決しようとする課題】
【０００５】
モバイルエッジコンピューティングデバイスは作業現場等の特定の環境で使用することが想定されているが、小型、軽量のため、特定の環境から持ち出され、他の環境でも使用されてしまう。例えば、職場からモバイルエッジコンピューティングデバイスを持ち出し、自宅で個人目的のために不正に使用することが可能である。
【０００６】
本発明の目的は不正な使用を防止できる電子機器、及び電子機器の起動方法を提供することである。
【課題を解決するための手段】
【０００７】
実施形態によれば、電子機器は他の機器と接続可能であり、特定の他の機器と接続されている場合、起動可能とされ、前記特定の他の機器と接続されていない場合、起動不可能とされる。
【図面の簡単な説明】
【０００８】
【図１】実施形態の電子機器を含む遠隔支援システムの一例を示すブロック図である。
【図２】図１中のオペレータ端末１２の一例を示すブロック図である。
【図３】図１中のモバイルＰＣ１６に接続されるウェアラブルデバイス２３の外観の一例を示す。
【図４】ウェアラブルデバイス２３の本体２４の外観の一例を示す。
【図５】モバイルＰＣ１６とウェアラブルデバイス本体２４との接続の一例を示す。
【図６】ウェアラブルデバイス本体２４の一例を示すブロック図である。
【図７】モバイルＰＣ１６の外観の一例を示す。
【図８】モバイルＰＣ１６の一例を示すブロック図である。
【図９】モバイルＰＣ１６の起動制御の一例を示すフローチャートである。
【図１０】起動制御のための機器登録の一例を示すフローチャートである。
【図１１】モバイルＰＣ１６の起動制御の他の例を示すフローチャートである。
【図１２】実施形態の電子機器を含むテレビ会議システムの一例を示すブロック図である。
【発明を実施するための形態】
【０００９】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【００１０】
［遠隔支援システム］  
図１は遠隔支援システムの一例を示すブロック図である。遠隔支援システムは、例えば現地の作業者（ユーザとも称する）を後方のオペレータが遠隔地から支援するためのシステムである。現地の作業の例は、複雑なメンテナンス業務、物流倉庫のピッキング作業、現場監視、災害救助・医療サポート等がある。現地の作業者側をフロントエンド、後方のオペレータ側をバックエンドとも称する。遠隔支援システムは、作業者が携帯するモバイルパーソナルコンピュータ（ＰＣ）１６及びメガネ型のウェアラブルデバイス２３と、作業者から離れた位置にある遠隔支援センター１８とを備え、モバイルＰＣ１６と遠隔支援センター１８はネットワーク２２を介して互いに接続される。モバイルＰＣ１６と遠隔支援センター１８はＬＡＮケーブルによりネットワーク２２に接続してもよいし、無線ＬＡＮ、ブルートゥース（登録商標）等によりネットワーク２２に接続してもよい。
【００１１】
ウェアラブルデバイス２３はモバイルＰＣ１６と接続される。図１では、ウェアラブルデバイス２３はケーブルによりモバイルＰＣ１６に接続する例を示すが、ウェアラブルデバイス２３は無線ＬＡＮ、ブルートゥース等によりモバイルＰＣ１６と接続してもよい。ウェアラブルデバイス２３はカメラ、ディスプレイを備え、カメラで撮影した画像をモバイルＰＣ１６に送信し、モバイルＰＣ１６から送信される画像をディスプレイで表示する。
【００１２】
遠隔支援センター１８はオペレータ端末１２とサーバ１４を備える。
【００１３】
遠隔支援とはモバイルＰＣ１６（及びウェアラブルデバイス２３）とオペレータ端末１２間で音声通話や情報をやり取りする機能である。モバイルＰＣ１６に接続されるウェアラブルデバイス２３のリアルタイム映像をオペレータ端末１２にビデオ配信することや、モバイルＰＣ１６とオペレータ端末１２間で画像を相互に送受信することができる。また、オペレータ端末１２からモバイルＰＣ１６にテキストメッセージを送信することもできる。例えば、物流倉庫ピッキング作業では、メガネ型のウェアラブルデバイス２３にピッキング品の場所を表示させ、ハンズフリーでのピッキングを実現できる。
【００１４】
遠隔支援機能は、例えば以下の機能を含む。  
【００１５】
(1)モバイルＰＣ１６とオペレータ端末１２との双方向の音声通話を行う音声通話機能。  
【００１６】
(2)音声通話中にウェアラブルデバイス２３のリアルタイム映像をオペレータ端末１２にビデオ配信するライブ映像配信機能。  
【００１７】
(3)音声通話中にモバイルＰＣ１６とオペレータ端末１２間で静止画を送受信する静止画像の送受信機能（モバイルＰＣ１６は撮影した静止画やビデオ配信中のキャプチャ画像をオペレータ端末１２に送信し、オペレータ端末１２は受信した画像に文字や絵などを書き込み、編集した画像をモバイルＰＣ１６に送信する機能。モバイルＰＣ１６で受信した静止画像は、モバイルＰＣ１６内のフォルダーに保存され、閲覧可能である）。  
【００１８】
(4)音声通話中にオペレータ端末１２のデスクトップ画面全体又は任意のアプリケーションプログラムのウィンドウをウェアラブルデバイス２３に表示する画面共有機能。  
【００１９】
(5)オペレータ端末１２からモバイルＰＣ１６に対してテキストメッセージを送信するテキストメッセージの送信機能。
【００２０】
サーバ１４は遠隔支援のための処理をオペレータ端末１２に代わって又は協働して行うものであり、プロセッサ（ＣＰＵ）２８、ＲＯＭ３０、ＲＡＭ３２、ハードディスクドライブ（ＨＤＤ）又はソリッドステートドライブ（ＳＳＤ）からなるストレージデバイス３４、インターフェース３６を備える。なお、サーバ１４の機能を全てオペレータ端末１２に持たせ、サーバ１４を省略してもよい。
【００２１】
［オペレータ端末１２］  
図２はオペレータ端末１２の一例を示すブロック図である。オペレータ端末１２はデスクトップ型ＰＣ又はノートブック型ＰＣ等からなる。
【００２２】
オペレータは、オペレータ端末１２を用いて現地の状況をリアルタイム映像で確認しながら、会話や画像によってモバイルＰＣ１６の作業者に指示を行う。オペレータは、オペレータ端末１２を用いてモバイルＰＣ１６から受信した画像ファイルに絵や文字などの書き込みを行い、編集した画像ファイルをモバイルＰＣ１６に送信することや、オペレータ端末１２に保存することができる。
【００２３】
オペレータ端末１２は、プロセッサを含むシステムコントローラ４２を備え、システムコントローラ４２には、主メモリ４４、ＢＩＯＳ−ＲＯＭ５０、ＨＤＤ又はＳＳＤからなるストレージデバイス５２、オーディオコーデック５４、グラフィックスコントローラ６２、タッチパネル７０、ＵＳＢ（登録商標）コネクタ７２、無線ＬＡＮデバイス７４、ブルートゥースデバイス７６、有線ＬＡＮデバイス７８、ＰＣＩＥｘｐｒｅｓｓ（登録商標）カードコントローラ８０、メモリカードコントローラ８２、エンベデッドコントローラ／キーボードコントローラ（ＥＣ／ＫＢＣ）８４等が接続される。
【００２４】
システムコントローラ４２はストレージデバイス５２から主メモリ４４にロードされる様々なプログラムを実行する。これらプログラムは、オペレーティングシステム（ＯＳ）４６、遠隔支援のためのバックエンドアプリケーションプログラム４８を含む。システムコントローラ４２は不揮発性メモリであるＢＩＯＳ−ＲＯＭ５０に格納された基本入出力システム（ＢＩＯＳ）も実行する。ＢＩＯＳはハードウェア制御のためのシステムプログラムである。
【００２５】
オーディオコーデック５４は、再生対象のデジタルのオーディオ信号をアナログのオーディオ信号に変換して、ヘッドフォン５８又はスピーカ６０に供給する。また、オーディオコーデック５４は、マイク５６から入力されるアナログのオーディオ信号をデジタル信号に変換する。マイク５６とヘッドフォン５８は単独で設けてもよいが、インカムとして一体的に設けてもよい。
【００２６】
グラフィックスコントローラ６２は、オペレータ端末１２のディスプレイモニタとして使用される液晶表示器（ＬＣＤ）６４を制御する。ＬＣＤ６４の画面上にタッチパネル７０が重ねられ、ＬＣＤ６４の画面にタッチペン等により手書き入力操作が行えるように構成されていてもよい。グラフィックスコントローラ６２にはＨＤＭＩ（登録商標）コントローラ６６も接続される。ＨＤＭＩコントローラ６６は外部の表示デバイスとの接続のためのＨＤＭＩコネクタ６８に接続される。
【００２７】
無線ＬＡＮデバイス７４は、ネットワーク２２との接続のためにＩＥＥＥ８０２．１１規格の無線ＬＡＮ通信を実行する。ブルートゥースデバイス７６は、外部機器との接続のためにブルートゥース規格の無線通信を実行する。有線ＬＡＮデバイス７８は、ネットワーク２２との接続のためにＩＥＥＥ８０２．３規格の有線ＬＡＮ通信を実行する。このように、オペレータ端末１２とネットワーク２２との接続は無線通信によってもよいし、有線通信によってもよい。
【００２８】
ＰＣＩＥｘｐｒｅｓｓカードコントローラ８０はオペレータ端末１２と外部機器との間でＰＣＩＥｘｐｒｅｓｓ規格の通信を行なう。メモリカードコントローラ８２は、例えばＳＤカード（登録商標）等のメモリカードにデータを書き込み、メモリカードからデータを読み出す。
【００２９】
ＥＣ／ＫＢＣ８４は電力管理コントローラであり、例えば、キーボード８８を制御するキーボードコントローラを内蔵したワンチップマイクロコンピュータとして実現されている。ＥＣ／ＫＢＣ８４は、電源スイッチ８６の操作に応じてオペレータ端末１２をパワーオン又はパワーオフする機能を有する。パワーオン及びパワーオフの制御は、ＥＣ／ＫＢＣ８４と電源回路９０との協働動作によって実行される。ＥＣ／ＫＢＣ８４はオペレータ端末１２がパワーオフされている期間中も、バッテリ９２又はＡＣアダプタ９４からの電力によって動作する。電源回路９０は、バッテリ９２からの電力又は外部電源として接続されるＡＣアダプタ９４からの電力を用いて、各コンポーネントへ供給すべき電力を生成する。
【００３０】
［ウェアラブルデバイス２３］  
図３はモバイルＰＣ１６に接続されるウェアラブルデバイス２３の外観の一例を示す。ウェアラブルデバイス２３はメガネフレーム１４２とウェアラブルデバイス本体２４を備える。メガネフレーム１４２は一般的なメガネからレンズを取り除いた形状でもよく、作業者の顔に装着される。作業者がメガネを常用する場合、メガネフレーム１４２はメガネの上に取り付けられる構造としてもよい。あるいは、常用しているメガネと同様な度数のレンズをメガネフレーム１４２に取り付け、常用しているメガネの代わりにメガネフレーム１４２が装着されるようにしてもよい。
【００３１】
メガネフレーム１４２はウェアラブルデバイス本体２４が着脱される取付具１４４を左右のテンプルに備える。図３では作業者から見て右側のテンプルの取付具１４４はウェアラブルデバイス本体２４に隠されているので、図示されない。上述したようにウェアラブルデバイス本体２４はディスプレイ１２４（図４に示す）を備え、ディスプレイ１２４は片目で目視されるようになっているので、ウェアラブルデバイス本体２４が利き目側に取り付けられるように取付具１４４は左右のテンプルに備えられている。なお、ウェアラブルデバイス本体２４を取付具１４４によりメガネフレーム１４２に着脱自在に取り付ける必要はなく、ウェアラブルデバイス本体２４がメガネフレーム１４２に固定された右眼用、左眼用のウェアラブルデバイス２３を用意してもよい。さらに、ウェアラブルデバイス本体２４をメガネフレーム１４２ではなく、ヘルメット、ゴーグル等を用いて作業者の頭部に装着してもよい。
【００３２】
ウェアラブルデバイス本体２４は、その係合片１２８（図４に示す）が取付具１４４の上下の枠内に挟まれるように、メガネフレーム１４２に取り付けられる。ウェアラブルデバイス本体２４をメガネフレーム１４２から取り外す場合は、ウェアラブルデバイス本体２４が取付具１４４から引き抜かれる。
【００３３】
ウェアラブルデバイス本体２４が取付具１４４に取り付けられた状態で、係合片１２８は取付具１４４内で前後に多少は移動可能である。このため、作業者の焦点がディスプレイ１２４に合うようにウェアラブルデバイス本体２４は前後位置が調整可能である。さらに、取付具１４４はテンプルに直交する軸１４４Ａを中心に回転可能であり、ウェアラブルデバイス本体２４がメガネフレーム１４２に取り付けられた後、ディスプレイ１２４が作業者の視線上に位置するように上下位置が調整可能である。さらに、取付具１４４の回転角度は９０度程度であり、取付具１４４を上方向に大きく回転することにより、ウェアラブルデバイス本体２４をメガネフレーム１４２からはね上げることができる。これにより、ウェアラブルデバイス本体２４により視野が邪魔され実物を見ることが困難な場合や、狭い場所でウェアラブルデバイス本体２４が周囲の物体に干渉する場合でも、ウェアラブルデバイス２３全体を顔から外す／再装着することなく、ウェアラブルデバイス本体２４を作業者の視野から一時的に外す／戻すことができる。
【００３４】
［ウェアラブルデバイス本体２４］  
図３、図４に示すように、ウェアラブルデバイス本体２４はメガネフレーム１４２のテンプルに沿った側面部と作業者の一方の眼球の視線上に位置する前面部とからなる。側面部に対する前面部の角度は調節可能である。  
【００３５】
前面部の外側表面にはカメラ１１６、ライト１１８、カメラＬＥＤ１２０が設けられる。ライト１１８は暗部の撮影時に発光する補助照明である。カメラＬＥＤ１２０は写真や動画の撮影時に点灯し、撮影対象者に撮影していることを認識させるためのものである。
【００３６】
右側のテンプルに取り付けられたウェアラブルデバイス本体２４の側面部の上側面に第１、第２、第３ボタン１０２、１０４、１０６が設けられる。なお、作業者の利き目が左眼の場合、ウェアラブルデバイス本体２４は左側のテンプルに取り付けられる。右側に取り付けられるか左側に取り付けられるかで、ウェアラブルデバイス本体２４の上下が反転するので、側面部の上側面と下側面の両面に第１、第２、第３ボタン１０２、１０４、１０６を設けてもよい。
【００３７】
側面部の外側表面にはタッチパッド１１０、第４ボタン１０８、マイク１１２、照度センサ１１４が設けられる。タッチパッド１１０と第４ボタン１０８は人差し指で操作可能である。ボタン１０２、１０４、１０６は、ウェアラブルデバイス本体２４が右側に取り付けられた際、それぞれ人差し指、中指、薬指で操作可能な位置に配置される。タッチパッド１１０は、その表面上で矢印に示すように作業者が指を上下前後に移動させたことを検出できるようにしている。この移動の検出は、指を接触したまま移動するドラッグの動きに加え、指をさっと擦るフリックの動きも含む。タッチパッド１１０は、作業者の指の上下前後移動を検出すると、コマンドを入力する。本明細書では、コマンドとはウェアラブルデバイス本体２４に対する特定の処理の実行指令のことである。第１〜第４ボタン１０２、１０４、１０６、１０８、タッチパッド１１０の操作方法はアプリケーションプログラムによって決められている。
【００３８】
例えば、  
第３ボタン１０６が１回押されると、項目の選択／項目の実行がなされ、  
第３ボタン１０６が長押しされると、起動中のアプリケーションの一覧が表示され、  
第２ボタン１０４が１回押されると、ホーム画面に戻り、  
第２ボタン１０４が長押しされると、クイックセッティングのメニューが表示され、  
第１ボタン１０２が１回押されると、操作の取り消し（キーボードのEscキーと同様の動作）が実行される。
【００３９】
タッチパッド１１０の操作に関しては、例えば、  
上下にドラッグされると、カーソルが上下に移動され、  
前にフリックされると、左のアイコンが選択され（連続してスクロール）、  
後ろにフリックされると、右のアイコンが選択され（連続してスクロール）、  
前にドラックされると、左のアイコンが選択され（１項目ずつスクロール）、  
後ろにドラックされると、右のアイコンが選択され（１項目ずつスクロール）る。
【００４０】
第１ボタン１０２は人差し指、第２ボタン１０４は中指、第３ボタン１０６は薬指、第４ボタン１０８は小指で操作できるような位置に配置される。なお、第４ボタン１０８が側面部の上部ではなく、側面部の外側表面に設けられるのは、スペースの関係上であり、第４ボタン１０８も第１〜第３ボタン１０２、１０４、１０６と同様に側面部の上部に設けられてもよい。照度センサ１１４はディスプレイの明るさを自動調整するために周囲の照度を検出する。
【００４１】
図４はウェアラブルデバイス本体２４の裏面の外観の一例を示す。前面部の内側にはＬＣＤからなるディスプレイ１２４が設けられる。側面部の内側にはマイク１２６、スピーカ１３０、係合片１２８が設けられる。マイク１２６は側面部の前方に、スピーカ１３０は側面部の後方に、係合片１２８は側面部の後方に設けられる。スピーカ１３０の代わりにヘッドフォンを用いてもよい。その場合、オペレータ端末１２と同様にマイクとヘッドフォンをインカムとして一体的に設けてもよい。
【００４２】
側面部の後方の端面にはＵＳＢｔｙｐｅ−Ｃ（登録商標）規格のコネクタ１３２が設けられる。図５に示すように、ウェアラブルデバイス本体２４はＵＳＢｔｙｐｅ−Ｃ規格のケーブル１４６を介してモバイルＰＣ１６に接続され、画像信号等がウェアラブルデバイス本体２４とモバイルＰＣ１６の間で伝送される。ウェアラブルデバイス本体２４は無線ＬＡＮ、ブルートゥース等の無線通信によりモバイルＰＣ１６に接続されてもよい。
【００４３】
実施形態ではウェアラブルデバイス本体２４は駆動電源としてのバッテリ又はＤＣ端子を備えず、駆動電源はモバイルＰＣ１６からＵＳＢｔｙｐｅ−Ｃケーブル１４６を介してウェアラブルデバイス本体２４に供給される。しかし、ウェアラブルデバイス本体２４が駆動電源を備えてもよい。
【００４４】
図６はウェアラブルデバイス本体２４の一例を示すブロック図である。ＵＳＢｔｙｐｅ−Ｃコネクタ１３２がミキサ１６６に接続される。ディスプレイコントローラ１７０と１２４とＵＳＢハブ１６４がミキサ１６６の第１端子、第２端子にそれぞれ接続される。ディスプレイ１２４がディスプレイコントローラ１７０に接続される。カメラコントローラ１６８、オーディオコーデック１７２、センサコントローラ１６２がＵＳＢハブ１６４に接続される。カメラ１１６とライト１１８とカメラＬＥＤ１２０がカメラコントローラ１６８に接続される。マイク１１２、１２６からのオーディオ信号がオーディオコーデック１７２に入力され、オーディオコーデック１７２からのオーディオ信号がアンプ１７４を介してスピーカ１３０に入力される。
【００４５】
センサコントローラ１６２に、モーションセンサ（例えば、加速度／地磁気／重力／ジャイロセンサ等）１７６、照度センサ１１４、近接センサ１７８、タッチパッド１１０、第１〜第４ボタン１０２、１０４、１０６、１０８、ＧＰＳセンサ１８０が接続される。センサコントローラ１６２はモーションセンサ１７６、照度センサ１１４、近接センサ１７８、タッチパッド１１０、第１〜第４ボタン１０２、１０４、１０６、１０８、ＧＰＳセンサ１８０からの検出信号を処理して、モバイルＰＣ１６へコマンドを供給する。図４には示していないが、モーションセンサ１７６、近接センサ１７８はウェアラブルデバイス本体２４の内部に配置される。モーションセンサ１７６はウェアラブルデバイス本体２４の動き、向き、姿勢等を検出する。近接センサ１７８は作業者の顔、指等の接近によりウェアラブルデバイス２３の装着を検出する。
【００４６】
［モバイルＰＣ１６］  
図７はモバイルＰＣ（モバイルエッジコンピューティングデバイス）１６の外観の一例を示す。モバイルＰＣ１６は片手で持てる小型ＰＣであり、そのサイズは、幅が約１０ｃｍ以下、高さが約１８ｃｍ以下、厚さが２ｃｍ程度であり、重量は約３００ｇ程度と、小型で軽量である。このため、モバイルＰＣ１６は作業着のポケット、ベルトに装着されるホルスタあるいはショルダーケースに収納でき、ウェアラブルである。モバイルＰＣ１６はＣＰＵや半導体メモリ等の半導体チップやＳＳＤ(Solid State Disk)等のストレージデバイスを収納するが、ディスプレイと文字入力のためのハードウェアキーボードは備えない。ディスプレイやハードウェアキーボード、マウス等の他の機器は有線又は無線の通信媒体を介してモバイルＰＣ１６に接続される。外付けディスプレイの一例はウェアラブルデバイス本体２４のディスプレイ１２４である。ディスプレイ１２４にメニューやスクリーンキーボードを表示させ、タッチバッド１１０を操作することにより、モバイルＰＣ１６に文字、コマンド等を入力することができる。
【００４７】
モバイルＰＣ１６の正面にはアップボタン２０２ａ、ライトボタン２０２ｂ、ダウンボタン２０２ｃ、レフトボタン２０２ｄ、決定ボタン（センターボタン、エンターボタンとも称する）２０２ｅからなる５ボタン２０２が配置され、その下に指紋センサ２０４が配置される。モバイルＰＣ１６はハードウェアキーボードを有しておらず、パスワードを入力することができないので、指紋センサ２０４はモバイルＰＣ１６のログイン時のユーザ認証のために用いられる。５ボタン２０２はコマンドを入力できる。
【００４８】
なお、５ボタン２０２の各ボタン２０２ａ〜２０２ｄに数字を割り当て、数字からなるパスワードを入力することにより、ログイン時のユーザ認証を行ってもよい。この場合、指紋センサ２０４は省略可能である。決定ボタン２０２ｅ以外の４つのボタンに数字を割り当てるので、数字の種類は４つしかないので、ランダムに入力した数字がパスワードに一致する可能性がある。しかし、パスワードの桁数を大きくすれば、ランダムに入力した数字がパスワードに一致する確率を小さくすることができる。指紋センサ２０４を備えるモバイルＰＣ１６でも５ボタン２０２による認証も可能としてもよい。１台のモバイルＰＣ１６を複数の作業者で共有することがあるが、指紋認証だけではこのような場合に対応できないことがある。
【００４９】
５ボタン２０２はウェアラブルデバイス本体２４のボタン１０２、１０４、１０６、１０８とタッチパッド１１０の操作と同じ操作が可能である。ウェアラブルデバイス本体２４のボタン１０２、１０４、１０６、１０８とタッチパッド１１０は操作している様子を作業者は見ることができないので、作業者によっては意図した操作をするには慣れが必要な場合もある。また、ボタン１０２、１０４、１０６、１０８とタッチパッド１１０は小型であるので、操作しづらい場合もある。実施形態では、モバイルＰＣ１６の５ボタン２０２でもタッチパッド１１０と同じ操作ができるので、上記の懸念は解消される。５ボタン２０２の操作方法はアプリケーションによって決められている。
【００５０】
例えば、  
決定ボタン２０２ｅが１回押されると、項目の選択／項目の実行がなされ（ウェアラブルデバイス本体２４では、第３ボタン１０６の１回押しに対応）、  
決定ボタン２０２ｅが長押しされると、終了又は操作の取り消しがなされ（ウェアラブルデバイス本体２４では、第１ボタン１０２の１回押しに対応）、  
アップボタン２０２ａが１回押されると、カーソルが上に移動され、  
アップボタン２０２ａが長押しされると、起動中のアプリケーションの一覧が表示され（ウェアラブルデバイス本体２４では、第３ボタン１０６の長押しに対応）、  
ダウンボタン２０２ｃが１回押されると、カーソルが下に移動され、  
ダウンボタン２０２ｃが長押しされると、クイックセッティングメニュー（後述）が表示され（ウェアラブルデバイス本体２４では、第２ボタン１０４の長押しに対応）、  
レフトボタン２０２ｄが１回押されると、右のアイコンが選択され、  
ライトボタン２０２ｂが１回押されると、左のアイコンが選択される。
【００５１】
モバイルＰＣ１６の上部側面には、ＵＳＢ３．０規格のコネクタ２０６とＵＳＢｔｙｐｅ−Ｃ規格のコネクタ２０７とオーディオジャック２０８が設けられる。
【００５２】
モバイルＰＣ１６の一方の側面（正面から見て左側の側面）には、メモリカード用のカードスロット２１８が設けられる。メモリカードは、例えばＳＤカード、マイクロＳＤカード（登録商標）等を含む。
【００５３】
モバイルＰＣ１６の他方の側面（正面から見て右側の側面）には、ケンジントンロック（登録商標）のためのスロット２１０、電源スイッチ２１２、パワーＬＥＤ２１３、ＤＣ  ＩＮ／バッテリＬＥＤ２１４、ＤＣ端子２１６、冷却用の通風口２２２が設けられる。パワーＬＥＤ２１３は電源スイッチ２１２の周囲に配置され、電源オンの期間点灯する。ＤＣ  ＩＮ／バッテリＬＥＤ２１４はバッテリが充電中であるか否か等のモバイルＰＣ１６の状態とバッテリの残量を表示する。モバイルＰＣ１６はバッテリで駆動可能であるが、ＤＣ端子２１６にＡＣアダプタを接続した状態でも駆動可能である。図示しないが、裏面はワンタッチでバッテリが交換可能に構成されている。
【００５４】
図８はモバイルＰＣ１６の一例を示すブロック図である。モバイルＰＣ１６はウェアラブルデバイス本体２４で撮影した映像をオペレータ端末１２へビデオ配信することや、オペレータ端末１２から受信した画像を閲覧することができる。このため、モバイルＰＣ１６はカメラ機能とビューワ機能を備える。カメラ機能はウェアラブルデバイス本体２４のカメラ１１６で写真やビデオを撮影する機能である。撮影した写真やビデオはカメラフォルダに保存され、ビューワ機能で閲覧できる。ビューワ機能はカメラフォルダに保存されているファイルを閲覧する機能である。ファイルの種類は、画像、動画、ＰＤＦファイル、カメラ機能で撮影した写真やビデオ、オペレータ端末１２から受信した画像、オペレータ端末１２へ送信した画像、ユーザフォルダに保存されたファイルがある。
【００５５】
モバイルＰＣ１６はシステムコントローラ３０２を備え、システムコントローラ３０２はプロセッサ（ＣＰＵ）とコントローラ・ハブからなる。プロセッサには、主メモリ３０８、ＢＩＯＳ−ＲＯＭ３１０、パワーＬＥＤ２１３、ＤＣ  ＩＮ／バッテリＬＥＤ２１４、ＵＳＢコントローラ３２２が接続される。コントローラ・ハブには、フラッシュメモリ３２６、メモリカードコントローラ３２８、ＨＤＤ又はＳＳＤからなるストレージデバイス３３０、ＵＳＢ切替器３２４、オーディオコーデック３３４、３Ｇ／ＬＴＥ／ＧＰＳデバイス３３６、指紋センサ２０４、ＵＳＢ３．０コネクタ２０６、ブルートゥースデバイス／無線ＬＡＮデバイス３４０、ＥＣ／ＫＢＣ３４４が接続される。
【００５６】
システムコントローラ３０２はストレージデバイス３３０から主メモリ３０８にロードされる様々なプログラムを実行する。これらプログラムは、ＯＳ３１６、遠隔支援のためのフロントエンドアプリケーションプログラム３１４を含む。システムコントローラ３０２は不揮発性メモリであるＢＩＯＳ−ＲＯＭ３１０に格納された基本入出力システム（ＢＩＯＳ）も実行する。
【００５７】
オーディオコーデック３３４は、再生対象のデジタルのオーディオ信号をアナログのオーディオ信号に変換して、オーディオジャック２０８に供給する。また、オーディオコーデック３３４は、オーディオジャック２０８から入力されるアナログのオーディオ信号をデジタル信号に変換する。  
【００５８】
メモリカードコントローラ３２８はメモリカードスロット２１８に挿入されるメモリカード、例えばＳＤカードにアクセスして、ＳＤカードに対するデータの読み書きを制御する。
【００５９】
ＵＳＢコントローラ３２２はＵＳＢｔｙｐｅ−Ｃコネクタ２０７に接続されるＵＳＢｔｙｐｅ−Ｃケーブル又はＵＳＢ３．０コネクタ２０６に接続されるＵＳＢ３．０ケーブル（図示せず）に対するデータの送受信を制御する。  
【００６０】
図示しないが、ＵＳＢｔｙｐｅ−Ｃコネクタ２０７にはインターフェースの種類を拡張するポート拡張アダプタも接続可能であり、ＨＤＭＩ等のインターフェースも使用可能である。
【００６１】
ブルートゥースデバイス／無線ＬＡＮデバイス３４０はネットワーク２２との接続のためにブルートゥース規格の無線通信とＩＥＥＥ８０２．１１規格の無線ＬＡＮ通信を実行する。なお、ネットワーク２２との接続は無線通信によらず、ＩＥＥＥ８０２．３規格の有線ＬＡＮ通信によってもよい。  
【００６２】
指紋センサ２０４はモバイルＰＣ１６の起動時の指紋認証のために使用される。  
【００６３】
ＥＣ／ＫＢＣ３４４には、サブプロセッサ３４６、電源スイッチ２１２及び５ボタン２０２が接続される。ＥＣ／ＫＢＣ３４４は、電源スイッチ２１２の操作に応じてモバイルＰＣ１６をパワーオン又はパワーオフする機能を有する。パワーオン及びパワーオフの制御は、ＥＣ／ＫＢＣ３４４と電源回路３５０との協働動作によって実行される。ＥＣ／ＫＢＣ３４４はモバイルＰＣ１６がパワーオフされている期間中も、バッテリ３５２又はＡＣアダプタ３５８からの電力によって動作する。電源回路３５０は、バッテリ３５２からの電力又は外部電源として接続されるＡＣアダプタ３５８からの電力を用いて、各コンポーネントへ供給すべき電力を生成する。電源回路３５０は電圧レギュレータモジュール３５６を含み、電圧レギュレータモジュール３５６はシステムコントローラ３０２内のプロセッサに接続される。
【００６４】
なお、モバイルＰＣ１６をウェアラブルデバイス本体２４と別体として構成したが、モバイルＰＣ１６をウェアラブルデバイス本体２４内に組み込んで、両者を一体として構成してもよい。
【００６５】
［モバイルＰＣ１６の起動方法］  
上述したように、遠隔支援システムにおいて、モバイルＰＣ１６は作業現場で特定の機器、例えばウェアラブルデバイス２３とともに使用されることが想定されている。しかし、モバイルＰＣ１６は小型、軽量のため自由に持ち運びができるようになっており、作業者がモバイルＰＣ１６を他の機器から取り外して作業現場から持ち出し、自宅等でキーボードやディスプレイを接続すると、パーソナルコンピュータとして不正な使用が可能となる。この場合、モバイルＰＣ１６に保存されている機密データが漏洩される可能性がある。
【００６６】
実施形態はこのような不正な使用を防止するための起動方法を提供する。実施形態では、モバイルＰＣ１６の使用環境が所定の環境であるか否かが、モバイルＰＣ１６が特定の機器に接続されているか否かに基づいて判定される。モバイルＰＣ１６が特定の機器に接続されていると判定された場合、モバイルＰＣ１６の起動が可能とされ、モバイルＰＣ１６が特定の機器に接続されていないと判定された場合、モバイルＰＣ１６の起動が不可能とされる。このように接続機器に関する認証を起動のために必要とすることにより、所定の環境以外における不正な使用が防止される。
【００６７】
図９はモバイルＰＣ１６の起動に関するシステムコントローラ３０２の処理の一例を示すフローチャートである。システムコントローラ３０２はステップＳ１０２で電源スイッチ２１２の操作による電源オンを検出する。電源オンが検出されると、システムコントローラ３０２はステップＳ１０４でＢＩＯＳを起動する。ＢＩＯＳが起動されると、システムコントローラ３０２はステップＳ１０６でモバイルＰＣ１６に接続されている１つ又は複数の機器をチェックして、１つ又は複数の接続機器の識別情報を取得する。識別情報は機器の種類（例えば、ウェアラブルデバイス、ディスプレイ、キーボード等）と機器固有の情報（シリアル番号）等を含む。なお、機器の種類が異なっても同じシリアル番号が発行されない場合は、シリアル番号のみでよく、機器の種類情報は取得しなくてもよい。機器の種類と機器固有の情報の両方を取得する場合、機器の種類情報はシリアル番号の一部として取得されてもよいし、シリアル番号とは別として取得されてもよい。
【００６８】
システムコントローラ３０２は取得した１つ又は複数の識別情報とモバイルＰＣ１６に登録されている１つ又は複数の機器の識別情報をステップＳ１０８で比較する。所定の使用環境でモバイルＰＣ１６に接続される１つ又は複数の接続機器は予め決められているので、モバイルＰＣ１６にはこの１つ又は複数の接続機器の識別情報が予め登録されている。接続機器の識別情報が登録されている接続機器テーブルはフラッシュメモリ３２６、ストレージデバイス３３０等に記憶されている。システムコントローラ３０２は取得した１つ又は複数の識別情報と登録されている１つ又は複数の識別情報とに基づいてモバイルＰＣ１６が所定の環境で使用されているか否かをステップＳ１１２で判定する。
【００６９】
具体的にはシステムコントローラ３０２は、登録されている１つ又は複数の識別情報が、取得した１つ又は複数の識別情報の中に含まれているか否かをステップＳ１１２で判定する。登録されている識別情報の数が１の場合、登録されている識別情報は、取得した１つ又は複数の識別情報のいずれかと一致するか否かが判定される。複数の識別情報が登録されている場合、登録されている全ての識別情報は、取得した１つ又は複数の識別情報の中に含まれているか否か判定される。登録されている１つ又は複数の識別情報が、取得した１つ又は複数の識別情報の中に含まれている場合、システムコントローラ３０２はステップＳ１２２でＯＳを起動する。少なくとも１つの登録されている識別情報が、取得した１つ又は複数の識別情報の中に含まれていない場合、システムコントローラ３０２はＯＳを起動せず、ステップＳ１１４でエラー表示を行い、その後終了する。
【００７０】
モバイルＰＣ１６はディスプレイを備えておらず、ステップＳ１１４の段階ではＯＳが起動されていない。従って、たとえディスプレイを備えていても画面表示によるエラー表示はできない。ステップＳ１１４のエラー表示はパワーＬＥＤ２１３を用いて行われる。パワーＬＥＤ２１３は発光色、点滅周期が制御可変である。例えば、点滅周期を変えることにより、パワーＬＥＤ２１３を連続点灯、消灯させることも可能である。パワーＬＥＤ２１３を特定の発光色で特定の点滅状態で点灯させることにより、ステップＳ１１４のエラー表示が可能である。
【００７１】
ＯＳが起動されると、システムコントローラ３０２はステップＳ１２４でユーザ認証を行う。上述したように、ユーザ認証は指紋センサ２０４を用いる指紋認証でもよいし、５ボタン２０２を使うパスワード認証でもよい。システムコントローラ３０２はステップＳ１２６でユーザ認証の結果が成功か否かを判定する。ユーザ認証が成功した場合、システムコントローラ３０２はステップＳ１２８でＯＳの起動を続ける。
【００７２】
ユーザ認証が失敗した場合、システムコントローラ３０２はステップＳ１３２で認証の失敗回数が所定回数に達したか否かを判定する。所定回数は例えば３回である。認証の失敗回数が所定回数に達していない場合、システムコントローラ３０２はステップＳ１２４に戻り、ユーザ認証を再度行う。認証の失敗回数が所定回数に達した場合、システムコントローラ３０２はステップＳ１３４でエラー表示を行い、その後終了する。ステップＳ１３４のエラー表示もパワーＬＥＤ２１３により行われる。
【００７３】
これにより、モバイルＰＣ１６を作業現場から持ち出し、自宅でキーボードやディスプレイに接続して使用しようとしたとしても、モバイルＰＣ１６は起動されないので、不正な使用が防止される。なお、上述の説明では、機器の種類とシリアル番号の両方を識別情報として登録されている情報と比較したが、識別情報としてシリアル番号だけを用いて判定してもよい。逆に、予め決めた種類の機器に接続されていればよい場合は、識別情報にシリアル番号を含めず、機器の種類のみを用いて判定してもよい。
【００７４】
［機器登録］  
図１０は接続機器の登録処理の一例を示すフローチャートである。登録処理はモバイルＰＣ１６が最初に起動される初期設定の中で行われる。接続機器の識別情報を登録するためには、キーボード、マウス、ディスプレイが必要であるので、ステップＳ１２でユーザは一度も電源がオンされていないモバイルＰＣ１６をキーボード、マウス、ディスプレイに接続する。キーボード、マウスはＵＳＢケーブルを介して、あるいはブルートゥース規格の無線通信によりモバイルＰＣ１６に接続される。ディスプレイはＨＤＭＩ（登録商標）ケーブルを介して外部の映像機器と接続されることが多いが、外部の映像機器であるモバイルＰＣ１６はＨＤＭＩコネクタを備えない。そのため、有線ＬＡＮコネクタ、ＵＳＢ３．０コネクタ、ＨＤＭＩコネクタ、ＲＧＢコネクタ等を備えるポート拡張アダプタが用意される。ポート拡張アダプタがモバイルＰＣ１６のＵＳＢｔｙｐｅ−Ｃコネクタ２０７に接続され、ポート拡張アダプタに接続されるＨＤＭＩケーブルを介してモバイルＰＣ１６から映像信号がディスプレイに供給される。
【００７５】
システムコントローラ３０２はステップＳ１４でモバイルＰＣ１６の最初の電源オンを検出する。最初の電源オンを検出すると、システムコントローラ３０２はステップＳ１６でＢＩＯＳを起動する。ＢＩＯＳが起動されると、システムコントローラ３０２は初期設定を開始する。種々の情報を設定するための画面が表示されるが、その中で認証に関する情報が設定される。ユーザ認証を指紋及び／又はパスワードで行うかに関する情報が設定され、行う場合は指紋やパスワードが登録され、又は接続機器に関する認証の有無に関する情報が設定される。
【００７６】
ステップＳ１８で接続機器に関する認証を行うことが設定されると、システムコントローラ３０２はステップＳ２０で登録画面をディスプレイに表示させる。登録画面は所定の使用環境でモバイルＰＣ１６に接続される機器の名称とシリアル番号とを設定するための画面である。
【００７７】
ステップＳ２２でユーザが登録画面の所定の入力欄に機器の名称とシリアル番号を入力すると、システムコントローラ３０２は入力された接続機器の名称とシリアル番号を接続機器テーブルに登録する。機器名はキーボードから入力してもよいし、プルダウンメニューから選択してもよい。シリアル番号はキーボードから入力してもよいし、シリアル番号が印刷されているバーコードをスキャンすることにより入力してもよい。１種類の機器に複数の型番が含まれる場合は、型番も設定してもよい。所定の環境でモバイルＰＣ１６が複数のウェアラブル機器に接続される場合は、複数の接続機器に関する複数の識別情報が登録される。
【００７８】
モバイルＰＣ１６の使用環境を変更する場合、接続機器テーブルを更新する必要がある。登録変更は所定環境でモバイルＰＣ１６を起動した後に行われるようになっている。例えば、メニューから登録変更が選択されると、登録変更画面が表示される。登録変更画面は登録画面と同じであり、表示されている機器の名称とシリアル番号が変更可能である。また、機器の追加や削除も可能である。ただし、自由に登録変更が可能であれば、不正使用が可能となる。そのため、所定環境でモバイルＰＣ１６を起動する際、通常のユーザＩＤによるログインではなく、管理者ＩＤによるログインが行われた場合にのみ、登録変更が可能としてもよい。すなわち、登録変更には管理者権限が必要であり、普通のユーザは変更不可能であってもよい。
【００７９】
なお、複数のモバイルＰＣ１６が同じ環境で使用される場合、図９の処理は複数のモバイルＰＣ１６各々に対してそれぞれ行われるが、複数のモバイルＰＣ１６が同一の接続機器テーブルを共有する場合は、テーブルをコピーしてもよい。
【００８０】
［モバイルＰＣ１６の起動方法の他の例］  
図１１はモバイルＰＣ１６の起動に関するシステムコントローラ３０２の処理の他の例を示すフローチャートである。システムコントローラ３０２はステップＳ１５２で電源スイッチ２１２の操作による電源オンを検出する。電源オンが検出されると、システムコントローラ３０２はステップＳ１５４でＯＳを起動する。なお、図示しないが、ＯＳの起動の前にＢＩＯＳが起動される。ＯＳが起動されると、システムコントローラ３０２はステップＳ１５６でモバイルＰＣ１６に接続されている機器をチェックして、接続機器の識別情報を取得する。
【００８１】
システムコントローラ３０２は取得した識別情報とモバイルＰＣ１６に登録されている識別情報をステップＳ１５８で比較する。システムコントローラ３０２は登録されている識別情報は取得した識別情報に含まれるか否かをステップＳ１６２で判定する。登録されている識別情報が取得した識別情報に含まれていない場合、システムコントローラ３０２はステップＳ１６４でエラー表示を行い、その後終了する。図１１のステップＳ１５２、Ｓ１５６、Ｓ１５８、Ｓ１６２、Ｓ１６４は図９のステップＳ１０２、Ｓ１０６、Ｓ１０８、Ｓ１１２、Ｓ１１４と同じである。
【００８２】
登録されている識別情報が取得した識別情報に含まれている場合、システムコントローラ３０２はステップＳ１７２で指紋センサ２０４又は５ボタン２０２を用いてユーザ認証を行う。システムコントローラ３０２はステップＳ１７４でユーザ認証の結果が成功か否かを判定する。ユーザ認証が成功した場合、システムコントローラ３０２はステップＳ１７６でＯＳの起動を続ける。
【００８３】
ユーザ認証が失敗した場合、システムコントローラ３０２はステップＳ１８０で認証の失敗回数が所定回数に達したか否かを判定する。認証の失敗回数が所定回数に達していない場合、システムコントローラ３０２はステップＳ１７２に戻り、ユーザ認証を再度行う。認証の失敗回数が所定回数に達した場合、システムコントローラ３０２はステップＳ１８２でエラー表示を行い、その後終了する。
【００８４】
図１１の起動方法によっても、不正な使用が防止される。なお、図９の起動方法はＢＩＯＳにより接続機器をチェックするのに対し、図１１の起動方法はＯＳにより接続機器をチェックする点が異なるが、他は同様である。
【００８５】
［変形例］  
上述したシステムは、ディスプレイ等の表示デバイスや、キーボード、マウス等の入力デバイスを備えていないモバイルＰＣ１６が、表示デバイスや入力デバイスを備えるウェアラブルデバイス２３に接続されている遠隔制御システムの例であるが、モバイルＰＣ１６を利用する他のシステム例を説明する。
【００８６】
図１２は、モバイルＰＣ１６を含むテレビ会議システムの一例を示す。テレビ会議システムは、ディスプレイ、マイク、スピーカ、カメラ等が接続された複数のモバイルＰＣ１６がネットワークを介して接続されて構成される。ディスプレイ４０２はＨＤＭＩコネクタを有するが、モバイルＰＣ１６はＨＤＭＩコネクタを有していないので、インターフェースを拡張するためのポート拡張アダプタ４１４がモバイルＰＣ１６に接続される。ポート拡張アダプタ４１４はモバイルＰＣ１６のＵＳＢｔｙｐｅ−Ｃコネクタ２０７に接続されるＵＳＢｔｙｐｅ−Ｃケーブルを備える。ポート拡張アダプタ４１４は有線ＬＡＮコネクタ、ＵＳＢ３．０コネクタ、ＨＤＭＩコネクタ、ＲＧＢコネクタ等を備える。モバイルＰＣ１６はポート拡張アダプタ４１４、ＨＤＭＩケーブルを介してディスプレイ４０２に接続される。ディスプレイ４０２は画面上のタッチを検出するセンサを備え、タッチ入力や手書き入力が可能な電子黒板であってもよい。
【００８７】
モバイルＰＣ１６は無線又は有線によりネットワーク２２と接続され、他のモバイルＰＣ１６との間で画像信号等が通信される。マイク４０４がモバイルＰＣ１６のオーディオジャック２０８に接続される。スピーカ４０６、カメラ４０８がＵＳＢハブ４１２を介してモバイルＰＣ１６のＵＳＢ３．０コネクタ２０６に接続される。
【００８８】
このようにモバイルＰＣ１６を用いて、ディスプレイ４０２に会議資料等の文書や通話相手の顔等の画像を表示しつつ相手と通話するテレビ会議システムが実現される。モバイルＰＣ１６の接続機器テーブルには、特定のディスプレイ４０２、マイク４０４、スピーカ４０６、カメラ４０８のシリアル番号が登録される。モバイルＰＣ１６はこれらの特定の機器に接続されていないと、起動されない。
【００８９】
本実施形態の処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００９０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９１】
１６…モバイルＰＣ、２３…ウェアラブルデバイス、２４…ウェアラブルデバイス本体、２０２…５ボタン、２１２…電源スイッチ、２１３…パワーＬＥＤ、３０８…主メモリ、３２６…フラッシュメモリ、４０２…ディスプレイ、４１４…ポート拡張アダプタ。
【図１】
2019133471.tif 000003
【図２】
2019133471.tif 000004
【図３】
2019133471.tif 000005
【図４】
2019133471.tif 000006
【図５】
2019133471.tif 000007
【図６】
2019133471.tif 000008
【図７】
2019133471.tif 000009
【図８】
2019133471.tif 000010
【図９】
2019133471.tif 000011
【図１０】
2019133471.tif 000012
【図１１】
2019133471.tif 000013
【図１２】
2019133471.tif 000014